(57)【要約】【課題】従来のマッサージ器においては、モーターの回転速度を制御して、マッサージ器の振動を調整できるようにすること。【解決手段】電源を供給してモーターを回転させ、該モーターのシャフトに配設された偏心オモリを回転させて振動を得るマッサージ器であって、電源のスイッチ部には、金属線をコイル状に巻回させたスライドコイルと、該スライドコイルに接触するスライド自在なブラシとを配設し、該ブラシをスライドさせることにより前記スライドコイルに接触する位置を変化させて、前記モーターの回転速度を制御できる構成にしたことにより、モーターの回転速度を制御して、マッサージ器の振動を調整することができるようになる。【選択図】　図１
2004121528.tif 000002
【特許請求の範囲】
【請求項１】
電源を供給してモーターを回転させ、該モーターのシャフトに配設された偏心オモリを回転させて振動を得るマッサージ器であって、
電源のスイッチ部には、金属線をコイル状に巻回させたスライドコイルと、該スライドコイルに接触するスライド自在なブラシとを配設し、
該ブラシをスライドさせることにより前記スライドコイルに接触する位置を変化させて、前記モーターの回転速度を制御できる構成にしたこと
を特徴とするマッサージ器。
【請求項２】
マッサージ器を加振部と電池収納部とで全体を略円筒形状に形成し、
前記加振部にモーターと偏心オモリとを配設させ、前記電池収納部に電源とスイッチ部とを配設させたこと
を特徴とする請求項１に記載のマッサージ器。
【請求項３】
前記加振部の端部には、
少なくとも１つの略半球状の凸部を形成させたヘッドを配設したこと
を特徴とする請求項２に記載のマッサージ器。
【請求項４】
前記ヘッドには、
キャップが着脱自在に装着されること
を特徴とする請求項３に記載のマッサージ器。
【請求項５】
前記キャップには、
複数の凸部を形成させること
を特徴とする請求項４に記載のマッサージ器。
【請求項６】
前記モーターの回転速度は、
３段階の切り換えができること
を特徴とする請求項１に記載のマッサージ器。
【請求項７】
前記３段階の切り換えは、
電源のスイッチ部のレールに形成された３つの凹部と、スライドスイッチに形成された凸部とによって行われること
を特徴とする請求項７に記載のマッサージ器。
【請求項８】
前記電源は、
電池によって供給されること
を特徴とする請求項１または２に記載のマッサージ器。
【発明の詳細な説明】
【０００１】
【発明の属する技術分野】
本発明は、モーターの回転を制御して振動を調整できるようにしたマッサージ器に関するものである。
【０００２】
【従来の技術】
従来、この種のマッサージ器としては、例えば、モーターのシャフトに配設された偏心オモリを回転させることによって振動を得て、該振動を利用してマッサージをするものがある（特許文献１参照）。
【０００３】
【特許文献１】
特開平７−２９９１５１号公報（第２頁）
【０００４】
【発明が解決しようとする課題】
しかしながら、前記従来技術においては、マッサージ器の振動が一定であり、マッサージをする部分によっては、マッサージに最適な振動を得ることができないため、マッサージの効果が少ないという問題を有する。
【０００５】
従って、従来のマッサージ器においては、モーターの回転速度を制御して、マッサージ器の振動を調整できるようにすることに解決しなければならない課題を有する。
【０００６】
【課題を解決するための手段】
上記した従来例の課題を解決する具体的手段として本発明に係る第１の発明として、電源を供給してモーターを回転させ、該モーターのシャフトに配設された偏心オモリを回転させて振動を得るマッサージ器であって、電源のスイッチ部には、金属線をコイル状に巻回させたスライドコイルと、該スライドコイルに接触するスライド自在なブラシとを配設し、該ブラシをスライドさせることにより前記スライドコイルに接触する位置を変化させて、前記モーターの回転速度を制御できる構成にしたことを特徴とするマッサージ器を提供するものである。
【０００７】
この第１の発明において、マッサージ器を加振部と電池収納部とで全体を略円筒形状に形成し、前記加振部にモーターと偏心オモリとを配設させ、前記電池収納部に電源とスイッチ部とを配設させたこと；前記加振部の端部には、少なくとも１つの略半球状の凸部を形成させたヘッドを配設したこと；前記ヘッドには、キャップが着脱自在に装着されること；前記キャップには、複数の凸部を形成させること；前記モーターの回転速度は、３段階の切り換えができること；前記３段階の切り換えは、電源のスイッチ部のレールに形成された３つの凹部と、スライドスイッチに形成された凸部とによって行われること；前記電源は、電池によって供給されること；を付加的な要件として含むものである。
【０００８】
本発明に係るマッサージ器は、電源のスイッチ部に金属線をコイル状に巻回させたスライドコイルと、該スライドコイルに接触するスライド自在なブラシとを配設し、該ブラシをスライドさせることにより前記スライドコイルに接触する位置を変化させて、前記モーターの回転速度を制御できる構成にしたことによって、モーターの回転速度を制御して、マッサージ器の振動を調整できるようにしたため、マッサージをする部分によって、マッサージに最適な振動を得ることができるので、効果的なマッサージをすることができるようになる。
【０００９】
【発明の実施の形態】
次に、本発明を具体的な実施の形態に基づいて詳しく説明する。
本発明の実施の形態に係るマッサージ器１の略示的な平面図を図１に示す。マッサージ器１は、加振部２と電池収納部３とを組み合わせ部４で組み合わせた構成になっており、その全体は略円筒形状に形成されている。
【００１０】
電池収納部３には、電源のスイッチ部５が設けられており、該スイッチ部５によって、電源のＮＯ／ＯＦＦと、振動レベルの選択とを併せて制御できるようになっている。即ち、電源のＯＦＦは、レベル０の位置で行い、振動レベルの選択は、調整された振動レベル１〜３の位置にスライドさせて切り替えることによって行う。
【００１１】
マッサージ器１の略示的な正面図を図２に示す。マッサージ器１の加振部２側の端部には、ヘッド９を配設し、該ヘッド９には、例えば、３つ程度の略半球状の凸部６を形成させることが好ましく、このように、略半球状の凸部６を形成することにより、マッサージ器１による振動と人体のツボを刺激する効果とを得ることができ、マッサージによる効果を高くすることができる。
【００１２】
この略半球状の凸部６としては、少なくとも１つの略半球状の凸部６を形成させれば良く、また、略半球状の凸部６は、一部を略半球状の凸部６を別体で形成し、ヘッド９に形成された孔に圧入して配設させても良い。
【００１３】
加振部２について、図３に、加振部２の構成部材を分解して示してある。加振部２の加振部本体ケース７は、略円筒形状に形成されている。その加振部本体ケース７の内部には、モーター８を収納し、その後、加振部本体ケース７の形成された凹部７ａに、ヘッド９の係止用爪９ａを嵌め込んで係止させて、加振部２の端部にヘッド９を配設する。
【００１４】
モーター８の一端には、シャフト１０が設けられており、該シャフト１０には、偏心オモリ１１を圧入して配設させている。また、モーター８の他端側には、正極側の電極接片１２と負極側の電極接片１３とが設けられており、これら正極側の電極接片１２と負極側の電極接片１３とに電源を供給することにより、モーター８のシャフト１０を回転させることができるようになっている。
【００１５】
加振部本体ケース７のヘッド９が嵌め込まれた側の他端側は、電池収納部３との組み合わせ部４になっており、その端部は開放された状態になっている。また、ヘッド９には、キャップ１４を着脱自在に装着させても良く、該キャップ１４には、ヘッド９の略半球状の凸部６より小径で多数の主に頭皮をマッサージするための小径凸部１５を形成させている。
【００１６】
このキャップ１４を装着させたマッサージ器１を図４に示してある。なお、この小径凸部１５に形成させる凸部は、小径で多数の頭皮用に限られるものではなく、他の形状であっても良い。
【００１７】
このように、キャップ１４を装着させることによって、ヘッド９を保護することができ、更に、ヘッド９の略半球状の凸部６とは異なる形状の凸部を形成させた場合には、該略半球状の凸部６とは異なるマッサージの効果を得ることができるようになるのである。
【００１８】
電池収納部３について、図５に電池収納部３の略示的な斜視図を示し、図６にその構成部材を分解して示してある。電池収納部本体ケース１６のスイッチ部５には、スライドスイッチ１７が電池収納部本体ケース１６に形成されたレール１８に沿ってスライド自在に配設されている。
【００１９】
このスライドスイッチ１７のスライドには、停止する位置を設けなくても良いが、前記のように、調製された振動レベルを得る場合には、図７のレール１８の一部を拡大した斜視図に示したように、レール１８の一部に凹部１９を複数形成すると共に、スライドスイッチ１７に凸部１７ａを形成して、該スライドスイッチ１７をスライドさせた際に、前記レール１８の凹部１９にスライドスイッチ１７の凸部１７ａが嵌った状態にさせることによって、所定の位置で停止するようにし、調製された振動レベルが得られるようにすることが好ましい。
【００２０】
つまり、レール１８に形成させた凹部１９の数により、スライドスイッチ１７の停止する段数を決めることができるため、図７のように凹部１９を隣接状態で且つ等間隔または異なった間隔をもって３箇所形成させた場合には、スライドスイッチ１７が停止する位置を３段階で切り替えることができるようになるのである。
【００２１】
また、図８のスイッチ部５を拡大した断面斜視図に示したように、スライドスイッチ１７には、ブラシ２０が固定されて配設されているため、スライドスイッチ１７のスライドに伴って、ブラシ２０をスライドさせることができるのである。このブラシ２０としては、例えば、薄い金属板等を使用することができ、該金属板を折り曲げて板バネ状に形成することが好ましい。
【００２２】
電池収納部本体ケース１６の内部には、スプリング状電極２１が収納される。このスプリング状電極２１は、棒状の金属線の一端部をスプリング状に巻回して形成させたものであり、その他端は、電池収納部本体ケース１６内を加振部２側に配線され、電池収納部本体ケース１６のスイッチ部５に形成された開口部２２から該電池収納部本体ケース１６の外部に折り曲げられて引き出され、更に折り曲げられてスイッチ部５に配線され、ブラシ２０と接触する接触部２１ａになっている。
【００２３】
スイッチ部５には、前記スプリング状電極２１の他端である接触部２１ａと略平行に、金属線をコイル状に巻回させたスライドコイル２３が配設されており、スライドスイッチ１７のスライドに伴ってスライドされたブラシ２０は、前記スプリング状電極２１の他端である接触部２１ａとスライドコイル２３とに接触されるようになっている。
【００２４】
このため、前記ブラシ２０の先端部を曲線状に形成し、更に、ブラシ２０の略中央部にスリット２４を設けることが好ましく、このように、ブラシ２０の略中央部にスリット２４を設けることにより、前記ブラシ２０に対する前記接触部２１ａとスライドコイル２３との接触面の高さが異なっていたとしても、ブラシ２０のブラシ接触部２０ａ、２０ｂとがそれぞれ独立した高さに調節されるため、スプリング状電極２１の他端側の接触部２１ａとスライドコイル２３とに確実に接触させることができると共に、ブラシ２０の先端部を曲線状に形成することにより、ブラシ２０をスムーズにスライドさせることができるのである。
【００２５】
このスライドコイル２３としては、例えば、直径略０．２ｍｍ程度のＳＵＳ３０４等の低抵抗の金属線を使用することが好ましく、このように、金属線をコイル状に巻回させたことによって、該金属線を一種の抵抗のように使用することができるのである。この際、前記スライドコイル２３の発熱を考慮して、電源の電圧としては、６Ｖ以下の低電圧で使用することが好ましい。
【００２６】
このスライドコイル２３の内側には、棒状に形成された断熱芯部材２５を配設させており、これにより、スライドコイル２３の形状やピッチが変形しないように維持させている。この断熱芯部材２５としては、例えば、テフロン（登録商標）等の断熱性の樹脂を使用することができる。
【００２７】
スライドコイル２３の一端部は、電極端子２６の一端に形成された接続部２６ａに接続され、該接続部２６をかしめることによって固定されており、電極端子２６の他端側は、開口部２２から電池収納部本体ケース１６の内部に引き込まれて配設されている。
【００２８】
この電極端子２６に他端側と、前記加振部２の負極側の電極接片１３とは、加振部２と電池収納部３との組み合わせ部４で組み合わせた際に、電極端子２６と負極側の電極接片１３とが接触するようになっており、これにより、ブラシ２０がスプリング状電極２１の他端とスライドコイル２３とに接触している場合には、前記スプリング状電極２１と前記負極側の電極接片１３とが電気的に接続されるようになっている。
【００２９】
スイッチ部５は、スプリング状電極２１と、断熱芯部材２５と、スライドコイル２３と、電極端子２６とが配設された後、プレート２７を開口部２２に嵌め込んで該開口部２２を塞ぎ、その後、ブラシ２０が固定されたスライドスイッチ１７を配設する。
【００３０】
この際、プレート２７の端部には、勾配部２８が形成されているため、スライドスイッチ１７に伴ってブラシ２０がスライドする際、該ブラシ２０は、前記勾配部２８からプレート２７と電池収納部本体ケース１６との間隙に入り込み、前記スプリング状電極２１の他端とスライドコイル２３とに接触することができるようになっている。
【００３１】
電池収納部３には、係止部１６ａが形成されており、加振部２には、図示はしていないが前記電池収納部３の係止部１６ａに対応した係止部が形成されている。電池収納部３に係止部１６ａを組み合わせる場合には、前記電池収納部３の係止部１６ａと加振部２の係止部との位置を合わせた状態で、電池収納部３を所定の方向に回転させることによって係止させ、組み合わせ部４で組み合わせることができるようになっている。
【００３２】
次に、図１のＡ−Ａ線に沿うマッサージ器１の略示的な断面図を図９に示す。電池収納部本体ケース１６の内部には、電源としての電池２９を収納することができ、該電池２９の正極側は、加振部本体ケース７の内部に収納されたモーター８の正極側の電極接片１２に接触しており、負極側は、電池収納部本体ケース１６内の端部に配設されたスプリング状電極２１に接触している。
【００３３】
接触部２１ａとスライドコイル２３とが、ブラシ２０のスライドによって電気的に接続された場合には、前述のように、スプリング状電極２１と負極側の電極接片１３とが電気的に接続され、電源がＯＮの状態になるため、電池２９の電源がモーター８に供給されるようになり、モーター８のシャフト１０を回転させることができ、また、ブラシ２０が接触部２１ａとスライドコイル２３とから離れた場合には、電池２９の電源がモーター８に供給されなくなるので、電源がＯＦＦの状態になる。
【００３４】
つまり、電源の経路の一部にスライドコイル２３が配設されており、ブラシ２０は、スライドコイル２３に接触されると共に、該スライドコイル２３に対してスライド自在に配設され、スライドコイル２３が抵抗のように働くため、該スライドコイル２３に対してブラシ２０をスライドさせることにより、該ブラシ２０と前記スライドコイル２３との接触する位置が変化して、スライドコイル２３の実質的な長さが変化するため、該スライドコイル２３の抵抗値を電気的に変化させることができ、これにより、モーター８に流れる電流量を制御できるようになるため、モーター８の回転速度を制御できるようになるのである。
【００３５】
つまり、レール１８に形成させた凹部１９の数を３箇所形成させた場合には、スライドスイッチ１７が停止する位置を３段階で切り替えることができるため、前記モーター８の回転速度は、３段階の切り換えができるのである。
【００３６】
モーター８のシャフト１０には、偏心オモリ１１が配設されており、その重心がシャフト１０とはズレているため、シャフト１０の回転に伴って偏心オモリ１１が回転することにより振動を生じ、マッサージ器１は、振動を得ることができる。その際、ブラシ２０をスライドさせるこよにより、モーター８の回転速度を制御できるため、マッサージ器１の振動レベルを調製できるのである。
【００３７】
このように、モーター８の回転速度を制御して、マッサージ器１の振動レベルを調整できる構成にしたため、マッサージをする部分によってマッサージ器１の振動レベルを調製して、マッサージに最適な振動を得ることができるので、効果的なマッサージをすることができるようになるのである。
【００３８】
これらモーター８と偏心オモリ１１とは、マッサージ器１の振動を効率よく利用できるようにするため、マッサージ器１の一端部に配設させることが好ましく、略半球状の凸部６は、これらモーター８と偏心オモリ１１とを配設させた側に形成することが好ましい。
【００３９】
なお、電池収納部３は、マッサージ器１に使用することを限定するものではなく、例えば、加振部２を歯ブラシ等に換えて、電動歯ブラシとしても良い。
【００４０】
【発明の効果】
以上説明したように、本発明に係るマッサージ器は、電源を供給してモーターを回転させ、該モーターのシャフトに配設された偏心オモリを回転させて振動を得るマッサージ器であって、電源のスイッチ部には、金属線をコイル状に巻回させたスライドコイルと、該スライドコイルに接触するスライド自在なブラシとを配設し、該ブラシをスライドさせることにより前記スライドコイルに接触する位置を変化させて、前記モーターの回転速度を制御できる構成にしたことによって、モーターの回転速度を制御して、マッサージ器の振動を調整できるため、マッサージをする部分によって、マッサージに最適な振動を得ることができるので、効果的なマッサージをすることができるという優れた効果を奏する。
【図面の簡単な説明】
【図１】本発明の実施の形態に係るマッサージ器１を略示的に示した平面図である。
【図２】同マッサージ器の略示的な正面図である。
【図３】同マッサージ器の加振部の構成部材を分解して示した略示的な斜視図である。
【図４】同マッサージ器にキャップを装着させた場合を略示的に示した平面図である。
【図５】同マッサージ器の電池収納部を略示的し示した斜視図である。
【図６】同マッサージ器の電池収納部の構成部材を分解して示した略示的な斜視図である。
【図７】同マッサージ器のレールの一部を拡大して略示的に示した斜視図である。
【図８】同マッサージ器の電池収納部のスイッチ部を拡大して略示的に示した断面斜視図である。
【図９】図１のＡ−Ａ線に沿うマッサージ器の略示的な断面図である。
【符号の説明】
１　マッサージ器
２　加振部
３　電池収納部
４　組み合わせ部
５　スイッチ部
６　略半球状の凸部
７　加振部本体ケース
７ａ、１９　凹部
８　モーター
９　ヘッド
９ａ　係止用爪
１０　シャフト
１１　偏心オモリ
１２　正極側の電極接片
１３　負極側の電極接片
１４　キャップ
１５　小径凸部
１６　電池収納部本体ケース
１６ａ　係止部
１７　スライドスイッチ
１７ａ　凸部
１８　レール
２０　ブラシ
２０ａ、２０ｂ　ブラシ接触部
２１　スプリング状電極
２１ａ　接触部
２２　開口部
２３　スライドコイル
２４　スリット
２５　断熱芯部材
２６　電極端子
２６ａ　接続部
２７　プレート
２８　勾配部
２９　電池
【図１】
2004121528.tif 000003
【図２】
2004121528.tif 000004
【図３】
2004121528.tif 000005
【図４】
2004121528.tif 000006
【図５】
2004121528.tif 000007
【図６】
2004121528.tif 000008
【図７】
2004121528.tif 000009
【図８】
2004121528.tif 000010
【図９】
2004121528.tif 000011